(57)【要約】【課題】屋外で簡便に長時間動画像を鑑賞できる携帯情報機器の動画再生システムを得る。【解決手段】携帯電話機１（携帯情報機器）に設けられた外部出力端子１１に低消費電力のディスプレイ装置１２０を接続する。また、携帯電話機１（携帯情報機器）に設けられた外部インターフェース１５を介して接続されたパーソナルコンピュータ２００（外部機器）から転送された動画像データをプロセッサ７を介して大容量の増設メモリ１８に保存する。そして、屋外での携行時の動画再生で携帯電話機１の液晶パネル８とバックライト９への出力をＯＦＦし、ディスプレイ装置１２０のみをＯＮし、消費電力を低減し電池１３のみで長時間再生できるようにした。【選択図】図１
2007148918.tif 000002
【特許請求の範囲】
【請求項１】
保存又は受信された画像データを表示処理する表示処理手段と、
前記表示処理手段で表示処理された画像データにより表示を行う第１の表示パネルと、
前記表示処理手段で表示処理された画像データを外部に出力する外部出力手段とを備えた携帯情報機器と、
前記第１の表示パネルより表示面積が小面積であり、前記外部出力手段から出力される画像データにより表示を行う第２の表示パネルを備えた外部表示装置とからなり、
前記外部表示装置で前記外部出力手段から出力される画像データを表示させる場合に、前記携帯情報機器の第１の表示パネルでの表示を停止させることを特徴とする画像表示システム。
【請求項２】
請求項１記載の画像表示システムにおいて、
前記外部表示装置は、装着者の眼前に配置される表示装置であることを特徴とする画像表示システム。
【請求項３】
請求項１記載の画像表示システムにおいて、
前記外部表示装置は、前記携帯情報機器とは別の電源で作動する装置であることを特徴とする画像表示システム。
【請求項４】
請求項１記載の画像表示システムにおいて、
前記外部出力手段から出力される画像データは、変換部で所定の規格の映像信号とされた画像データであり、
前記外部表示装置に入力した映像信号を、前記第２の表示パネルで表示させる画像データに変換する変換手段と、前記別の電源とを、一体の筐体に収納したことを特徴とする画像表示システム。
【発明の詳細な説明】
【技術分野】
【０００１】
本発明は、携帯型のゲーム機、ＰＤＡ（Personal Digital Assistants：携帯型情報端末）、携帯電話端末などの携帯情報機器を使用して映像を表示させるのに好適な画像表示システムに関する。
【背景技術】
【０００２】
近年、インターネット等の電子情報網の普及・発展に伴い、この電子情報網へ無線回線を経由して接続し通信することができる、例えば携帯電話端末などの携帯情報機器の普及が進んでいる。
このような携帯情報機器では、利用者は移動中においてもインターネット上のホームページへのアクセスや電子メールの送受信などを容易に行うことができ、使用場所と時間に制限されずより自由にインターネット上の情報を利用することができ、利便性の高い情報ツールの一つとなっている。
【０００３】
例えば、携帯電話機では、アナログチューナーを内蔵しラジオ放送やテレビ放送の視聴ができる機種や、内蔵するデジタルカメラによる撮影機能を備えた機種なども販売されるに至っている。
また、携帯型のゲーム機やＰＤＡなどでも通信機能が強化されることで、インターネットなどの電子情報網を介して複数の愛好家との間で情報の授受を行い、対戦ゲームや種々のコンテンツをダウン/アップロードして活用することができるようになりつつある。
【０００４】
ところで、このような携帯情報機器には、入手した文字情報や静止画像・動画像情報を表示するために、背面から照射するようにバックライトが配置された透過型の液晶表示パネルが多く用いられる。
そして、携帯情報機器は通常屋外で使用されるため、電池の限られた電力量でユーザが満足できる長さの使用時間を確保することが必須である。
つまり、携帯情報機器の一つである携帯電話機でいうと、小型軽量で携行に便利であることから当初の通話機能に、上述のホームページへのアクセス機能、電子メールの送受信機能に加え、カメラ機能、音楽や映像（動画と音声を含む）コンテンツのダウンロード・再生機能、さらにテレビ電話機能などの各種機能の追加により消費電力が増加する傾向にあり、このような利便性を確保した上でいかに内蔵電池での使用時間を長くするかが関心事となっている。
【０００５】
従来、使用時間を長くするための携帯情報機器の消費電力を低減させるための技術として特許文献１〜４に開示されているものが知られている。
【０００６】
特許文献１には、二つ折りタイプの情報処理装置、特に二つ折りタイプの携帯電話機に関するものが記載されている。
この情報処理装置は、開閉可能な第１の筐体と第２の筐体とを備え、第１の筐体と第２の筐体が閉状態になったときに第１の筐体と第２の筐体とが対向する情報処理装置であって、第１の筐体において、第１の筐体と第２の筐体とが閉状態のときに第２の筐体に対向する面に表示ディスプレイが設けられ、第２の筐体において、第１の筐体と第２の筐体とが閉状態のときに、第１の筐体に対向しない非対向面から表示ディスプレイの一部を透視することが可能な表示ディスプレイよりもサイズが小さい透視部が設けられ、表示ディスプレイのうち、第１の筐体と第２の筐体とが閉状態のときに透視部から透視することができる透視可能エリアの表示と、透視可能エリア以外のエリアの表示とを個別に管理する表示管理部を有するものである。
そして、閉状態で透視部を通して表示ディスプレイの小サイズ領域の必要な情報のみを表示して見えるようにし閉状態での消費電力を抑えている。
【０００７】
特許文献２には、バックライトの点灯時間の制御を行う携帯電話一体型情報端末、そのバックライトの制御方法、及びその機能をコンピュータに行わせるプログラムを格納したコンピュータ読み取り可能な記録媒体に関するものが記載されている。
このバックライトの制御方法は、携帯電話一体型情報端末の液晶パネルを背面から照射するバックライトの制御方法において、利用者が各種情報の入力操作を行った際にバックライトを点灯させ、応答待ちの状態になった際にバックライトを消灯させ、応答待ちの状態が終了した際にバックライトを点灯させるものである。
これにより、携帯電話一体型情報端末の消費電力を低減させるようにしている。
【０００８】
特許文献３には、表示部を有する携帯電話機に関するものが記載されている。
この携帯電話機は、画像を表示する表示部と、通話の開始および終了を検出する通話検出部と、表示部および通話検出部に接続され、通話検出部が通話の開始を検出するのに応じて表示部に表示された画像が消され、通話検出部が通話の終了を検出するのに応じて表示部に画像が表示されるように画像の表示および非表示を制御する制御部とを備えたものである。
そして、通話中に表示部に画像情報を表示しないことにより消費電力を低減している。
【０００９】
特許文献４には、デジタルテレビ放送の受信、再生機能を供える携帯情報機器に関し、特に、動画コンテンツ表示時の省電力化技術に関するものが記載されている。
この携帯情報機器は、表示画素数が異なる２つの画面を有する携帯端末であって、動画コンテンツを取得する取得手段と、取得した動画コンテンツを、表示画素数が多い方の画面である第１画面に表示する第１表示手段と、動画コンテンツのフレームの１部分を、第２画面に表示する第２表示手段を備え、第２画面の表示がされている間は、第１画面の表示がされないように第１表示手段を制御する制御手段を備えるものである。
このように、テレビ放送等の画面の見たい部分を小さい方の画面に表示させ、大きい方の画面での視聴に比べ、少ない消費電力でテレビ番組の内容を知ることができるようにしてテレビ放送を長時間に亘り楽しめるようにしている。
【特許文献１】特開２００５−２６０６７３号公報（第２頁，図１）
【特許文献２】特開２００２−２７１０１号公報（第２頁左欄，図１）
【特許文献３】特開２００２−９９３６号公報（第２頁左欄，図３，図４）
【特許文献４】特開２００５−８００２０号公報（第２頁，図１）
【発明の開示】
【発明が解決しようとする課題】
【００１０】
上述のように消費電力を低減する方法には種々あるが、特許文献１〜４に開示されている技術では以下のような不都合があった。
すなわち、特許文献１に記載の情報処理装置では、液晶側筐体（第１の筐体）が閉じられた状態では消費電力は抑えられるものの、高精細な画像は液晶側筐体（第１の筐体）を開き通常の比較的大きな電力を消費する状態で見ることになる。
【００１１】
また、特許文献２のバックライト制御方法では、応答待ち状態ではバックライトが消灯され消費電力は抑えられ、特許文献３の携帯電話機で透過型の液晶表示装置を具えたものでは、通話中で情報入力などの操作を行わないときバックライトが消灯されるだけでなく、表示部への出力信号もＯＦＦされるため消費電力は抑えられ、特許文献４の携帯情報機器では、番組の内容を小画面で把握することができるのでこのとき消費電力は抑えられる。しかしながら、特許文献２〜４に記載の技術では、テンキーなどでの入力操作が行われたり、通常の高精細で大きな画面を視聴するときにはバックライトが点灯され通常の比較的大きな電力を消費する状態になってしまう。
【００１２】
このように従来の携帯情報機器は、表示パネルの画面に通常表示させるとき、バックライトを点灯させ所定電力を消費する状態で使用されるため消費電力の低減には限度があり、テレビ放送や映像を連続視聴するような比較的消費電力が大きい使用状態において、携帯情報機器に内蔵される電池のみで使用時間を延ばすには限界があった。
【００１３】
本発明はかかる点に鑑み、動画を連続再生しても十分な使用時間を確保することができる画像表示システムを提案するものである。
【課題を解決するための手段】
【００１４】
上記課題を解決するため、本発明携帯情報機器の動画再生システムは、保存又は受信された画像データを表示処理する表示処理手段と、表示処理手段で表示処理された画像データにより表示を行う第１の表示パネルと、表示処理手段で表示処理された画像データを外部に出力する外部出力手段とを備えた携帯情報機器と、第１の表示パネルより表示面積が小面積であり、外部出力手段から出力される画像データにより表示を行う第２の表示パネルを備えた外部表示装置とからなり、外部表示装置で外部出力手段から出力される画像データを表示させる場合に、携帯情報機器の第１の表示パネルでの表示を停止させるものである。
【発明の効果】
【００１５】
本発明携帯情報機器の動画再生システムによれば、小面積のために消費電力が小さい第２の表示パネルを備えた外部表示装置に画像を表示させることで、携帯情報機器の表示パネルで表示させる場合よりも使用時間を大幅に長くすることができる。
【発明を実施するための最良の形態】
【００１６】
本発明の一実施の形態の例を図１〜図５を参照して説明する。
【００１７】
図１は、本例の携帯情報機器の動画再生システムの構成を示すシステム図であり、以下では携帯情報機器として携帯電話機を例に示している。
本例の動画再生システムは、携帯電話機１と、この携帯電話機１の外部出力端子１１に接続されるビューファインダ装置１００と、外部インターフェース１５に接続されるパーソナルコンピュータ２００と、このパーソナルコンピュータ２００にＩＳＰ（Internet Service Provider：プロバイダー）を介してインターネット上の種々のコンテンツを供給するインターネットサーバ３００と、携帯電話会社４００の無線局４１０と、この携帯電話会社４００と接続される固定電話会社４５０及び別の携帯電話会社４０１と、携帯電話会社４００に情報を供給する情報コンテンツサーバ５００、インターネットサーバ３１０などから構成される。
【００１８】
図２は、二つ折りタイプの携帯電話機１の開状態での外観図であり、携帯電話機１は、液晶パネル８が配置された液晶側ケース１ａとテンキーボタン２１が配置されたテンキー側ケース１ｂとがヒンジ１ｃにより開閉自在に設けられる。
【００１９】
開状態の液晶側ケース１ａに露呈される面には、図２に示すように、レシーバ５，液晶パネル８が配設され、この液晶側ケース１ａ内部には液晶パネル８を背面から照明する図示しないバックライト９とバックライト９へ供給電源を制御する照明制御部１０が配置される(図１参照）。
一方、開状態のテンキー側ケース１ｂに露呈される面には、図２に示すように、数字や文字入力のためのテンキーボタン２１と、メールや通話での受発信や電源ON／OFFなどに用いるキーボタン２２が配設される。なお、以下ではテンキーボタン２１とキーボタン２２とを纏めて入力装置１２という。
【００２０】
そして、テンキー側ケース１ｂの図２に示す側面にメモリカードスロット１９とこれに装抜自在に装着されるメモリカードなどの増設メモリ１８、外部と信号の入出力を行うための外部インターフェース１５及びビューファインダ装置１００などの外部表示装置に接続される外部出力端子１１が設けられる。また、テンキー側ケース１ｂの図２に示す背面で二つ折り状態では外側となる面に電池１３が設けられる。
このため、携帯電話機１を折り畳んで閉状態にしたとき、液晶側ケース１ａの液晶パネル８が、テンキー側ケース１ｂのテンキーボタン２１及びキーボタン２２に略対向し近接するようにされる。
【００２１】
次に、本例の携帯電話機１のシステム構成を、図１及び図２を参照して説明する。
【００２２】
携帯電話機１は、図１に示すように、アンテナ２、変復調部３、ボーコーダー４、レシーバ５、マイク６、プロセッサ７、液晶パネル８、バックライト９、照明制御部１０、外部出力端子１１、入力装置１２、電池１３、電源制御部１４、外部インターフェース１５、内部メモリ１６、リンガー１７、増設メモリ１８及び表示切替器２０から構成されている。
そして、携帯電話機１全体を制御するプロセッサ７には、変復調部３、表示切替器２０、入力装置１２、電源制御部１４、外部インターフェース１５、内部メモリ１６、リンガー１７、増設メモリ１８が接続される。
ここで、増設メモリ１８は、図２に示すメモリカードスロット１９に装抜自在に設けられるメモリカードなどによるものである。
【００２３】
そして、携帯電話機１の通話での受信機能では、プロセッサ７からの指示により、アンテナ２で受信した受信信号が変復調部３で復調され、この変復調部３で復調された信号の音声処理がボーコーダー４で行われレシーバ５に出力される。また、通話での送信機能では、マイク６から入力された音声の信号処理がボーコーダー４で行われ、このボーコーダー４で処理された音声信号が変復調部３で変調されアンテナ２から送信される。
【００２４】
また、プロセッサ７に接続される外部インターフェース１５は、図１に示すように、携帯電話機１とパーソナルコンピュータ２００などの外部機器との間における情報の授受に用いられ、例えばパーソナルコンピュータ２００の図示しない入出力インターフェースと有線接続されて実行される。
また、内部メモリ１６は、携帯電話機１の各機能を実行させるためのファームウェアや各種設定データを記憶し、電気的に書換えすることができるＥＥＰＲＯＭやフラッシュメモリなどの不揮発性メモリとＣＭＯＳなどによるＲＡＭとが組み合わされて用いられる。また、リンガー１７は音声で着信を知らせるものである。
【００２５】
プロセッサ７に接続されるメモリカードなどによる増設メモリ１８は、リフレッシュしなくてもデータが消滅しない大容量のフラッシュメモリなどからなるもので、携帯電話機１に設けられるメモリカードスロット１９に対して装抜自在とされこのメモリカードスロット１９を介してプロセッサ７に接続される。そして、大きな情報量を有する音声・画像・映像データを携帯電話機１で扱うとき、内部メモリ１６の空き記憶領域を圧迫せずに、記憶・保存の領域を十分確保できるようにしている。
また、プロセッサ７に接続される電源制御部１４には電池１３が接続されて、この電池１３から供給される電源の制御を行っており、入力装置１２は、上述のように数字や文字を入力するテンキーボタン２１や方向キーなどのキーボタン２２からなるもので利用者が各種情報の入力を行うために用いられる。
【００２６】
また、プロセッサ７には、図１に示すように、表示切替器２０を介して各種情報が表示される液晶パネル８、照明制御部１０及び外部出力端子１１が接続される。そして、照明制御部１０には液晶パネル８を背面から照射するバックライト９が接続される。プロセッサ７は、各種メモリに記憶された画像データや、通信機能を使用して受信した画像データを、液晶パネル８での表示用に処理する表示処理手段として機能し、そのプロセッサ７が出力する画像データを、表示切替器２０を介して液晶パネル８に供給する。また、プロセッサ７が出力する画像データを、表示切替器２０を介して変換部２３に供給することができる構成としてあり、この変換部２３で、所定の規格の信号方式（例えばＮＴＳＣ方式）の映像信号に変換して、外部出力端子１１に供給する構成としてある。外部出力端子１１には、後述するディスプレイ装置１２０がケーブルを介して接続される。  液晶パネル８は、ＴＦＴ液晶素子などによる画面の大きさが、例えば幅３０ｍｍ×高さ５０ｍｍ程の表示パネルで、情報の画面表示の際には液晶パネル８を背面から照射するバックライト９が点灯される。
【００２７】
照明制御部１０は、例えば入力装置１２により情報の入力操作が行われたときバックライト９を点灯させ、応答待ちの状態となったときバックライト９を消灯させ、応答待ちの状態が終了したとき再度バックライト９を点灯させるように表示切替器２０からの指示で作動するものである。
なお、外部出力端子１１は、ディスプレイ装置１２０が着脱自在に接続されるものであり、外部出力端子１１にディスプレイ装置１２０が接続されているとき、プロセッサ７の指示を受けた表示切替器２０により、後述するように、液晶パネル８とビューファインダ装置１００の両方又はいずれか一方のみに情報を画面表示させるようにする（図３参照）。即ち、表示切替器２０から液晶パネル８に画像データを出力して、液晶パネル８に画像を表示させている際には、照明制御部１０がバックライト９を点灯させ、表示切替器２０から外部出力端子１１側には画像データ（映像信号）が出力されない。そして、表示切替器２０から変換部２３を介して外部出力端子１１側に画像データ（映像信号）を出力している際には、液晶パネル８での表示を停止させ、バックライト９も消灯させる構成としてある。表示切替器２０での切替えは、例えば入力装置１２を構成する所定のキー操作で、画像表示モードを設定することで行われる。或いは、外部出力端子１１へのディスプレイ装置１２０のケーブルの接続で、自動的に切替わる構成としてもよい。
【００２８】
表示切替器２０は、入力装置１２からの入力操作によって例えば内部メモリ１６に格納された表示設定データに基いて発せられるプロセッサ７からの命令信号により切替え動作するものである。そして、携帯電話機１単体で使用され画面表示を行うことができるのが液晶パネル８のみであるときと、ディスプレイ装置１２０が接続され、液晶パネル８だけでなくディスプレイ装置１２０でも画面表示ができる状態のときに、例えば図３に示す表示設定データに基いて両方又は何れかを表示できるように出力を切り替える。本例の場合、ディスプレイ装置１２０と外部出力端子１１とを接続するケーブルの途中には、変換装置１６０を接続してある。この変換装置１６０は、外部出力端子１１から出力される所定規格（ＮＴＳＣ方式など）の映像信号を、ディスプレイ装置１２０が備える表示パネルに表示させるための画像データに変換する変換処理部（プロセッサ）を内蔵している。さらに、変換装置１６０を構成する筐体には、電源回路１６１を構成する電池が内蔵され、その電源回路１６１からの電源を、変換装置１６０及びディスプレイ装置１２０に供給して、表示させるための電源として使用するようにしてある。
ここで図３は、携帯電話機１で授受される情報と、その情報についての携帯電話機１の作動状態と、このときのプロセッサ７から出力される表示装置の例を示したもので、携帯電話機１で取り扱われる情報を、音声情報、文字情報、画像情報、及び取扱う情報量が極めて大きい動画像などの映像情報の４種に分類し示している。なお、図３についての詳細説明は後述する。
【００２９】
次に、図１のブロック図に示したディスプレイ装置１２０を、図４を参照して説明する。
ディスプレイ装置１２０は、眼鏡に小型のディスプレイ装置が設けられたもので、いわゆるヘッドマウントディスプレイの一形態をなすものである。
【００３０】
図４は、眼鏡１１０のフレームにディスプレイ装置１２０を取り付け例を示したものである。
眼鏡１１０は、図５に示すように、レンズ枠となる左右のリム(rim)１１２ａ，１１２ｂと、左右端のヨロイ（智）１１６ａ，１１６ｂと、リム１１２ａ，１１２ｂをその上縁の側で固定し左右端のヨロイ１１６ａ，１１６ｂまで延設されたワタリ(brace bar)１１３と、左右のヨロイ１１６ａ，１１６ｂに設けられる丁番１１７ａ，１１７ｂと、この丁番１１７ａ，１１７ｂ介して回動自在に設けられるテンプル１１４ａ，１１４ｂとから構成される。ここで、左右のリム(rim)１１２ａ，１１２ｂの上縁に設けられるワタリ１１３には、両端の２箇所と中央部の２箇所に小さいブロック状の永久磁石１１５ａ，１１５ｂ，１１５ｃ，１１５ｄが埋設される。
そして、左右のリム(rim)１１２ａ，１１２ｂに、左右のレンズ１１１ａ，１１１ｂが嵌め込まれる。
【００３１】
ディスプレイ装置１２０は、図６Ａに示すように、レールフレーム１２１と保持シャフト１２３とホールドリング１２９とディスプレイユニット１５０から構成される。
【００３２】
レールフレーム１２１は、リム１１２ａ，１１２ｂの上縁に設けられるワタリ１１３と略同じ曲面を有するプレート１２１ａと、このプレート１２１ａにねじで固定され、図６Ｂに示す下面に鉄素材などの強磁性体のブロックが埋設された吸着部材１２２ａ，１２２ｂとから構成される。
保持シャフト１２３は、断面が矩形形状の筒体を有するスライド部１２４と、このスライド部１２４の図６Ｂに示す下側に軸部１２５が設けられる。そして、スライド部１２４の筒体の上面に、図６Ｂに示すように、ねじ孔が設けられ、軸部１２５には下端側から雄ねじが形成される。そして、スライド部１２４に固定ねじ１２６が螺入され、軸部１２５の雄ねじにローレット目付きの短いナット１２７と長いナット１２８とが設けられる。
【００３３】
ホールドリング１２９は、図６Ｂに示すように、帯状の板金の両端部に丸孔１２９ａ，１２９ｂを設けると共に、この板金を略矩形形状に折り曲げた後、さらに両端部に形成された丸孔１２９ａ，１２９ｂを対向させ、孔の中心が同軸上となるように折り曲げたものである。ここで、板金の略矩形形状の大きさは、後述するディスプレイユニット１５０をがたなく環装できるように形成される。
ディスプレイユニット１５０は、図７に示すように、略直方体のケース１５１一側面に断面が略矩形で筒状の突設部１５２が形成され、この突設部１５２の開口にカバーガラス１５３が設けられる。そして、ケース１５１の内に、画像表示装置が組み込まれ、この画像表示装置に映像信号を供給する配線１５４がケース１５１の上面に設けられる。
そして、カバーガラス１５３を除くケース１５１全体が柔軟性のあるプラスチック素材でコーティングされる。なお、突設部１５２には、上述のホールドリング１２９を固定するための溝１５２ａが設けられる。
【００３４】
このディスプレイユニット１５０としては、各種の画像表示装置を用いることができ、表示画面サイズが小さいので小消費電力にすることができるが、より消費電力を小さくするためには液晶表示装置、特に双安定（メモリ）形の強誘電性（ＦＬＣ：ferroelectric Liquid crystal）液晶表示装置が好適である。この双安定形の強誘電性液晶表示装置では電源を切っても液晶分子配列が保持（メモリ）されるため、画像を読み込むときのみ電圧を印加すればよく、多くの画像を確認するときバックライトでの消費電力をより小さくすることができる。
さらに消費電力を小さくするために、画素電極を反射率の高い構造とした反射型の強誘電性液晶表示装置としてもよい。
【００３５】
反射型の強誘電性液晶表示装置で、シリコンウェハをバックプレーンとし強誘電性液晶をシリコンウェハと透明ガラス基板で１μｍ程度のギャップで挟む反射型液晶パネル構造なし、画面サイズが５ｍｍ×４ｍｍ程度のものがある。
この液晶表示装置では、シリコンウェハ上にＤＲＡＭ／ＳＲＡＭ製造技術により画素ピッチ１０〜２０μｍで液晶駆動電極と画素電極とを配列すると共に周辺制御回路も一体に形成し、電極自体を反射面とすることで高解像度で高開口率に設計できる。このため、照明光学系からの光を高効率に利用して高輝度で低消費電力を実現している。
【００３６】
ちなみに、表示装置としての消費電力を、大きさが例えば３０ｍｍ×５０ｍｍの携帯電話機などで用いられる表示用の液晶パネルと、この画面サイズ５ｍｍ×４ｍｍの反射型の強誘電性液晶表示装置で大まかに比較する。なお、ここでは液晶表示セルを駆動するための電力は、バックライトなどの照明光学系の消費電力と比べ小さいので考えない。
液晶パネルは、通常透過型のＴＦＴ液晶表示パネルで作製され、出力２００ｍＷ程度のＬＥＤを約６個用いたバックライトを有しており、バックライトによる光は、透過率１５％ほどのＴＦＴ液晶表示パネルを透過して目に入射することになる。これを単位面積あたりの光エネルギとして見積もると、２００（ｍＷ／個）×６（個）×０．１５／（３０ｍｍ×５０ｍｍ）＝０．１２（ｍＷ／ｍｍ２）  となる。
【００３７】
一方、反射型の強誘電性液晶表示装置は、出力２００ｍＷ程度のＬＥＤを１個用いた照明光学系を有しており、このＬＥＤによる照明光は、反射率９０％ほどの強誘電性液晶表示パネルを反射して目に入射することになる。これを単位面積あたりの光エネルギとして見積もると、２００（ｍＷ／個）×１（個）×０．９／（５ｍｍ×４ｍｍ）＝９（ｍＷ／ｍｍ２）  となる。
つまり、液晶パネルに対し画面サイズ５ｍｍ×４ｍｍの反射型の強誘電性液晶表示装置の光エネルギ密度は、計算上７５倍となり、実際にはヘッドマウントディスプレイとして目の近くに設けられるということも手伝い、極めて鮮明な表示画像を見ることができ、使用するＬＥＤも少ないことから消費電力の点からも有利であることが分かる。
そして、画像表示装置に、反射型の強誘電性液晶表示装置を用いたディスプレイユニット１５０では、図７に示すカバーガラス１５３の大きさは幅１２ｍｍ高さ９ｍｍ程度で、極めてコンパクトな大きさとすることができる。
このような反射型の強誘電性液晶表示装置としては、例えばディスプレイテック社（米国）製のライトビュー（Light View：登録商標）マイクロディスプレイ製品を用いることができる。
【００３８】
このように構成されたディスプレイ装置１２０は、図６Ａに示すように、プレートフレーム１２１の一端に吸着部材１２２ａを固定してから保持シャフト１２３のスライド部１２４の開口に通し、他端に保持シャフト１２３が抜けないように吸着部材１２２ｂを固定する。そして、スライド部１２４に設けられたねじ孔に固定ねじ１２６を螺入し、軸部１２５に短いナット１２７を設けておく。
【００３９】
一方、ディスプレイユニット１５０には、図６Ａに示すように、その側面に丸孔１２９ａ，１２９ｂが配されるようにホールドリング１２９が環装される。そして、保持シャフト１２３の軸部１２５を丸孔１２９ａ，１２９ｂの図６Ａに示す上方から挿通し、下方から長いナット１２８を螺着する。
そして、軸部１２５に設けられる短いナット１２７と長いナット１２８によって、ホールドリング１２９の丸孔１２９ａ，１２９ｂが締め付けられて、ディスプレイユニット１５０とホールドリング１２９とが固定される。これにより、ディスプレイ装置１２０が組み上がる。
【００４０】
このように組み上げられたディスプレイ装置１２０は、そのレールフレーム１２１の吸着部材１２２ａ，１２２ｂに設けられる強磁性体のブロックが、眼鏡フレーム１１０に埋設された永久磁石１１５ａ，１１５ｂの組又は永久磁石１１５ｃ，１１５ｄの組により吸着されて図５に示すワタリ１１３に固定される。
そして、ディスプレイ装置１２０の眼鏡フレーム１１０での微調整は、左右方向についてはスライド部１２４をレールフレーム１２１上でずらすことにより行い、上下方向についてはホールドリング１２９の丸孔１２９ａ，１２９ｂを保持シャフト１２３の軸部１２５に対してずらすことにより行う。
これにより、ユーザの目に合わせて眼鏡フレーム１１０にディスプレイ装置１２０が固定された図４に示すヘッドマウントディスプレイ１００が組み上がる。
【００４１】
このように構成された携帯情報機器である携帯電話機１の動画再生システムを図１及び図３を参照して説明する。
動画再生システムを説明するに当たり、携帯電話機１の通信機能を用いた情報の送受信動作と、携帯電話機１に設けられる表示装置の動作について説明する。
【００４２】
先ず、携帯電話機１の通信機能を用いた情報送信の動作について説明する。
送信する情報には、利用者がマイク６を用いて入力する通常の通話における音声情報、テンキーボタン２１などの入力装置１２を用いて入力するメールなどにおける文字情報、内部メモリ１６や増設メモリ１８に予め格納しておいた音声，文字，画像，映像データなどの情報、外部インターフェース１５を介して有線接続されたパーソナルコンピュータ２００などの管理下にあるデータベースの情報などがある。
【００４３】
マイク６を用いて音声情報が入力された場合、ボーコーダー４によって信号処理された音声情報は、変復調部３によって送信できるように変調された後、アンテナ２から出力される。また、入力装置１２によって入力された文字情報は、プロセッサ７で処理されてから変復調部３に送られ、変復調部３によって送信できるように変調された後、アンテナ２から出力される。
内部メモリ１６や増設メモリ１８に格納されている情報、或いは外部インターフェース１５からの情報の送信では、先ずユーザが入力装置１２に対して入力操作を行うとこの操作内容がプロセッサ７で解釈され、次にこの解釈に基いてプロセッサ７から動作命令が発せられる。この動作命令により内部メモリ１６、増設メモリ１８及び外部インターフェース１５からの情報がプロセッサ７に取り込まれ、プロセッサ７で所定の処理を施してから変復調部３に送られ、送信できるように変調された後、アンテナ２から出力される。
【００４４】
携帯電話機１の通信機能を用いた情報の受信動作は、携帯電話機１に着信があった場合、その着信情報は、アンテナ２から変復調部３を介してプロセッサ７に伝えられる。そして、着信情報を受け取ったプロセッサ７は、リンガー１７に対し着信音発信命令を発し、送信者の電話番号や名前の表示機能を有効にし、液晶パネル８に着信表示出力命令を与える。
これらの命令を受けたリンガー１７、液晶パネル８は、それぞれ着信音の鳴動、着信表示を行うので、利用者は着信があったことを認知することができる。そして、着信を知ったユーザは、所定の着信処理のための入力操作を行ってから発呼を行った端末機（送信元の電話機）との接続を行い、送信情報を受信できるようにする。
【００４５】
ここで、アンテナ２を介して受信された情報が音声情報であるとき、音声情報は変復調部３により復調された後、ボーコーダー４によって音声処理されて通常の通話ではレシーバ５から出力される。また、留守電話機能を有効にしているときは、変復調部３で復調された音声情報は、プロセッサ７でデジタル信号に変換・処理された後、内部メモリ１６に格納される。
また、アンテナ２から受信された情報が文字や画像の情報であるとき、受信された情報は変復調部３によって変調された後、プロセッサ７で処理され、内部メモリ１６又は設定によっては増設メモリ１８に格納・保存されたのち、一纏まりの情報が取得されてから表示切替器２０を介して液晶パネル８又は外部出力端子１１に出力される。このとき、図３に示す作動状態に応じて発せられるプロセッサ７から表示切替器２０への指示により、液晶パネル８及び／又はディスプレイ装置１２０に所定の画面表示がなされる。
【００４６】
なお、文字や画像の情報を受信しておき、時間を置いて後から内容を確認する場合、図１に示すように、内部メモリ１６又は増設メモリ１８、さらに必要に応じて外部インターフェース１５を介してパーソナルコンピュータ（外部機器）２００に接続されている記憶装置に格納しておくこともできる。
このように格納・保存された情報を確認する場合、メモリ１６，１８やパーソナルコンピュータ２００の記憶装置の、情報が格納された場所とその情報の個別ファイル名を指定し、「再生」の実行を入力装置１２の入力操作により指示する。そうすると、当該情報の再生指示がプロセッサ７で解釈された後、プロセッサ７から情報の種類に応じた所定の動作命令が発せられて情報の実行処理領域へのロードと再生ソフトウェアの起動処理がなされて、液晶パネル８又は外部出力端子１１に接続されたビューファインダ装置１００に所定の画面表示がなされる。
【００４７】
次に、携帯電話機１に設けられる表示装置での画面表示について説明する。
【００４８】
先ず、携帯電話機１にディスプレイ装置１２０の接続がない状態での動作について、図３に示す表示設定データの例の内、「液晶パネルのみ」の列を参照して説明する。
ここでは液晶パネル８のみで画面表示がなされる。
【００４９】
液晶パネル８を有する携帯電話機１では、ユーザ自身が送信せずかつ着信がないときは、いわゆる「応答待ち状態」であるため、取り扱われる情報の内容如何にかかわらず、液晶パネル８への画面表示はＯＦＦし、従って、バックライト９の点灯も不要で最も消費電力が小さい状態とする。また、「１音声情報」で「ｃ）通話時」でも相手と会話のみをしている状態では、画面表示する情報がないので液晶パネル８への画面表示をＯＦＦする。
これに対し、「１音声情報」の「ｃ）通話時」と、全ての情報での「ａ）応答待ち状態」以外の作動状態では、着信や入力操作の内容を確認するため画面表示が必要となるため、液晶パネル８への画面表示をＯＮし、バックライト９も点灯する。
つまり、図３例で「液晶パネルのみ」の設定では、携帯電話機１での画面表示が液晶パネル８のみでなされるため、応答待ち状態と通話のとき以外は、液晶パネル８が画面表示するようにしている。
【００５０】
次に、携帯電話機１にディスプレイ装置１２０が接続された状態での携帯電話機１の動作について、図３に示す「内蔵液晶パネル＋外部ディスプレイ装置」の列を参照して説明する。
【００５１】
ディスプレイ装置１２０が接続されているときもユーザ自身が送信せず着信がないときは、いわゆる「応答待ち状態」であるため、取り扱われる情報の内容如何にかかわらず、上述「液晶パネルのみ」と同様に画面表示をＯＦＦし、バックライト９の点灯も不要で最も消費電力が小さい状態とする。そして、「１音声情報」で「ｃ）通話時」でも相手と会話のみをしている状態では、画面表示する情報がなく液晶パネル８への画面表示はＯＦＦである。
【００５２】
以下、図３における、上述「応答待ち状態」と、「１音声情報」で「ｃ）通話時」以外の状態での携帯電話機１の画面表示を、取り扱われる情報の種類ごとに説明する。
【００５３】
「１音声情報」では「ｂ）リンガー鳴動時」と、「ｄ）入力操作時」の「（ア）機能選択」では、着信や入力操作の内容を確認するため画面表示が必要で、また入力装置１２と表示画面とが近くにあるほうが扱い易いため、液晶パネル８への画面表示をＯＮし、ディスプレイ装置１２０の画面表示をＯＦＦする。そして、「ｄ）入力操作時」の「（ア）機能選択」以外では、より低消費電力となるディスプレイ装置１２０の画面表示のみをＯＮする。
【００５４】
「２文字情報」では「ｂ）着信通知」と、「ｃ）送信時」と、「ｅ）入力操作時」の「（ア）機能選択」では、着信や入力操作の内容を確認するため画面表示が必要で、また入力装置１２と表示画面とが近くにあるほうが扱い易いため、液晶パネル８への画面表示をＯＮし、ディスプレイ装置１２０の画面表示をＯＦＦする。そして、「ｄ）受信内容確認」と、「ｅ）入力操作時」の「（ア）機能選択」以外では、より低消費電力となるディスプレイ装置１２０の画面表示のみをＯＮする。
【００５５】
「３画像情報」では「ｂ）送信時」と、「ｃ）受信時」と、「ｅ）入力操作時」の「（ア）機能選択」では、送受信や入力操作の内容を確認するため画面表示が必要で、また入力装置１２と表示画面とが近くにあるほうが扱い易いため、液晶パネル８への画面表示をＯＮし、ディスプレイ装置１２０の画面表示をＯＦＦする。そして、「ｄ）入力操作時」の「（ア）機能選択」以外では、より低消費電力となるディスプレイ装置１２０の画面表示のみをＯＮする。
【００５６】
「４映像情報」では、「ａ）入力操作時」のうち、（ア）〜（ウ）の作動は屋内で行われ、ＡＣ電源を用いることができることから、図３例では液晶パネル８とディスプレイ装置１２０への画面表示を共にＯＮする。そして、「（エ）保存データ再生」で携行して使用されてデータを再生するときは、より低消費電力となるディスプレイ装置１２０の画面表示のみをＯＮする。
つまり、携帯電話機１にディスプレイ装置１２０が接続されたときの画面表示が、入力操作や確認のし易さと消費する電力量との兼ね合いから、例えば図３に示すように予め表示の設定を決め、この決められた設定に基いて表示切替器２０の切替え動作が行われる。
以上の表示設定データにより、本例での携帯電話機１では、その使用場面に応じてユーザの操作性と省電力とができるだけ両立するようになされることになる。
【００５７】
このように構成された携帯電話機１の動画再生システムの動作を、図１及び図３に示す表示設定データの例の「４映像情報（大サイズ動画データ）」の欄の「（エ）モニタ（保存データ再生）」を参照して説明する。以下では、音声と動画像などの情報が含まれる映画などの映像情報の取り扱いについて説明する。
【００５８】
このような映像情報は、画面サイズにもよるが、１時間再生するのに要するデータサイズがデータ圧縮後でも数１００ＭＢ〜数ＧＢと巨大であるため、携帯電話機１などの無線電話回線を介してはダウンロードに極めて長時間を要し、実用的とはいえない。このため、映像情報を携帯電話機１に保存するとき、図１の破線で示すように、携帯電話機１とパーソナルコンピュータ２００などの情報処理装置との間を有線あるいは無線などによる高速回線で接続して、例えば図１に示す外部インターフェース１５を介してパーソナルコンピュータ２００から映像情報を高速転送して、増設メモリ１８に映像データを格納する。
このときの携帯電話機１の表示状態は、図３に示す表示設定データの例の「４映像情報」の欄の（ア）〜（ウ）に示すように、作業は室内で行われＡＣ電源に接続して行うことができるため、ディスプレイ装置１２０と液晶パネルとをＯＮした状態とし、何れを見ながらでも実行できるようにしている。
【００５９】
そして、図３に示す表示設定データの例の「４映像情報」の欄の「（エ）モニタ（保存データ再生）」に示すように、屋外での携行状態における動画データの再生では、ビューファインダ装置１００が接続された状態でこのディスプレイ装置１２０のみで映像が表示されるようにする。
すなわち、液晶パネル８を使用した場合の動画データの再生では、プロセッサ７での消費電力が大きくなり、また屋外では外光に抗して明瞭なコントラストを得るためバックライト９への給電力を大きくする必要がある。このため携帯電話機１での消費電力が大きくなり、携帯電話機１に内蔵される電池１３だけでは屋外で十分な時間だけ動画データを再生することが難しい。
このため、ディスプレイ装置１２０が接続されているときには液晶パネル８への表示信号とバックライト９への給電をＯＦＦし、ディスプレイ装置１２０に映像情報を表示するようにし消費電力を抑制するようにする。
【００６０】
本例の携帯電話機１の動画再生システムでは、外部出力端子１１にディスプレイ装置１２０が接続されたときは、情報処理量が多い動画データの処理のためにプロセッサ７での電力消費は増加するものの、携帯電話機１の液晶パネル８への信号出力とバックライト９への給電を行なわず、消費電力がこれらと比べ極めて小さいディスプレイ装置１２０に動画像を表示させるようにしているため、携帯電話機１全体としての消費電力を小さくすることができ、屋外での携行時での動画像のモニタを内蔵電池の消耗を気にすることなく長時間行うことができる。
【００６１】
本例の携帯情報機器の動画再生システムによれば、外部接続端子に消費電力が極めて小さいディスプレイ装置が接続され、これに動画像の画面表示を行わせるため、屋外での携行時における動画像のモニタを内蔵電池の消耗を気にすることなく長時間行うことができる。
【００６２】
なお、上述例では携帯情報機器として、外部機器とのインターフェースを有する携帯電話一体型情報端末である携帯電話機１を例に説明したが、携行して屋外において内蔵電池で使用されるゲーム機やＰＤＡなどで、液晶パネルなどによる表示画面を有し、外部インターフェースと画像の外部出力端子を備えたものであれば、十分な時間屋外で動画像を再生し楽しむことができる。
また、携帯情報機器には液晶パネルが備わっていることを前提として説明したが、これに限らず、より構成を簡便にするため、表示装置を具えない携帯情報機器とし、この携帯情報機器と上述のディスプレイ装置と組み合わせ、より小型軽量で安価な動画再生装置を構成することも勿論できるものである。
【００６３】
また、上述例では、メモリカードなどの増設メモリ１８への映像データ保存を、図１に示すように、携帯電話機１の外部インターフェース１５とプロセッサ７を介して転送する例で説明したが、別の方法としては、パーソナルコンピュータ２００に外部接続された図示しない増設メモリスロットに、取り出したメモリカード（増設メモリ１８）を装着し、パーソナルコンピュータ２００から映像データを転送してこのメモリカードに保存し、この映像データが保存されたメモリカードを携帯電話機１のメモリカードスロット１９に装着するようにしてもよい。
【００６４】
また、上述例では、図３に示す「４映像情報」で扱う動画データとして、数ＧＢに及ぶ極めて大きな情報量を持つファイルについて説明したが、例えばより小さい情報量を持つサンプル映像などの動画データについては、「３画像情報」における表示設定で扱うこともできる。この場合、プロセッサ７の処理のときに過大な負荷を与えない情報量であれば、情報（ファイル）を無線回線を経由してダウンロードするのと同時に再生をする、いわゆる「ストリーミング」再生を行うようにしてもよいものである。
【００６５】
また、上述例では、ディスプレイ装置１２０をケーブルを介して携帯電話機１の外部出力端子１１に接続する構成としたが、携帯電話機１とディスプレイ装置１２０との間をBluetooth（商標）などの通信方式で無線伝送を行う構成として、ケーブルがない構成としてもよい。
【００６６】
また、上述例では、ディスプレイ装置１２０側に接続された変換装置１６０に、電源回路１６１を内蔵させる構成としたが、携帯電話端末１の外部出力端子１１から電源の供給を受ける構成としてもよい。変換装置１６０についても、携帯電話端末１の外部出力端子１１から、液晶表示パネルで直接表示が可能な形式の画像データが出力される場合には、不要である。
【図面の簡単な説明】
【００６７】
【図１】本発明の一実施の形態の例による携帯情報機器の動画再生システムで、携帯情報機器を携帯電話機としたときのシステム構成を示すシステム図である。
【図２】図１例の携帯電話機の外観斜視図である。
【図３】図１例の携帯電話機での表示設定データの例の説明のための線図である。
【図４】図１例の動画再生システムにおけるビューファインダ装置の例の外観斜視図である。
【図５】図４例のビューファインダ装置を構成する眼鏡の例の外観斜視図である。
【図６】図４例のビューファインダ装置を構成するディスプレイ装置の例の、Ａは外観斜視図、Ｂは分解斜視図である。
【図７】図６例のディスプレイ装置のディスプレイユニットの例の外観斜視図である。
【符号の説明】
【００６８】
１…携帯電話機、７…プロセッサ、８…液晶パネル、９…バックライト、１１…外部出力端子、１３…電池、１５…外部インターフェース、１８…増設メモリ、１２０…ディスプレイ装置、１６０…変換装置、２００…パーソナルコンピュータ
【図１】
2007148918.tif 000003
【図２】
2007148918.tif 000004
【図３】
2007148918.tif 000005
【図４】
2007148918.tif 000006
【図５】
2007148918.tif 000007
【図６】
2007148918.tif 000008
【図７】
2007148918.tif 000009